(57)【要約】【課題】機能装置毎に分散に伴う装置の増大を抑止しつつ、電気量情報を処理する。【解決手段】電気量を一括してＡ／Ｄ変換処理する入力変換装置５が、受信した電気量に係るアナログ信号を、絶対時間取得手段（例えば、ＧＰＳ受信機５ｄ）によって取得した絶対時間に基づいたサンプリングタイミングで、Ａ／Ｄ変換処理を行い、ディジタル信号に変換し、前記の変換されたディジタル信号を符号化して電気量データを取得し、該電気量データをネットワーク１０１上の機能ユニットに配信するネットワーク式電気量情報処理システムである。【選択図】図１
2007325323.tif 000002
【特許請求の範囲】
【請求項１】
絶対時間取得手段を備え、かつ、電気量を一括にＡ／Ｄ変換処理する入力変換装置が、機能ユニットとネットワークを介して接続されたネットワーク式電気量情報処理システムであって、
前記入力変換装置が受信した電気量に係るアナログ信号を、前記の絶対時間取得手段によって取得した絶対時間に基づいたサンプリングタイミングで、Ａ／Ｄ変換処理を行ってディジタル信号に変換し、
前記の変換されたディジタル信号を符号化して電気量データを取得し、
該電気量データを前記ネットワーク上の前記機能ユニットに配信する、
ことを特徴とするネットワーク式電気量情報処理システム。
【請求項２】
前記の入力変換装置が、
前記の絶対時間取得手段によって取得した絶対時間に基づくサンプリング同期タイミングを該入力変換装置に備えられたＧＰＳ同期回路で生成し、
該サンプリング同期タイミングに基づいてＡ／Ｄ変換回路によって、電流量を電流量データに変換し、
該サンプリング同期タイミングに基づいてＡ／Ｄ変換回路によって、電圧量を電圧量データに変換し、
ネットワーク全体の同期状態に応じて、サンプリングタイミング毎に、絶対時間情報と該絶対時間情報に関連付けられた該電流量データ及び電圧量データを前記ネットワークに配信する、
ことを特徴とする請求項１記載のネットワーク式電気量情報処理システム。
【請求項３】
前記の入力変換装置及び機能ユニットが、
同一のメモリ構造を備える共有メモリ領域を有し、
該入力変換装置が、
前記の絶対時間情報と該絶対時間に係る電気量データを該共有メモリ領域に格納し、
その絶対時間情報と該絶対時間に係る電気量データをパケットに含ませて、機能ユニットに所定の処理タイミングで配信し、
該機能ユニットが、
受信したパケットを前記の絶対時間情報と該絶対時間に係る電気量データを該共有メモリ領域に格納する、
ことを特徴とする請求項１または２に記載のネットワーク式電気量情報処理システム。
【請求項４】
前記の入力変換装置及び機能ユニットが、
同一のメモリ構造を備える共有メモリ領域を有し、
該機能ユニットが、
前記の絶対時間情報と該絶対時間に係る電気量データを該入力変換装置に対して要求し、
受信したパケットを前記の絶対時間情報と該絶対時間に係る電気量データを該共有メモリ領域に格納し、
該入力変換装置が、
その絶対時間情報と該絶対時間に係る電気量データを該共有メモリ領域に格納し、
該機能ユニットからの要求に応じて、絶対時間情報と該絶対時間に係る電気量データをパケットに含ませて、所定の処理タイミングで機能ユニットに対し配信する、
ことを特徴とする請求項１または２に記載のネットワーク式電気量情報処理システム。
【請求項５】
前記の入力変換装置は、電源立ち上げ時に、電気量に関する情報を公開するコンフィグレーション情報を前記機能ユニットに対し配信し、
該機能ユニットは、該コンフィグレーション情報を受信する、
ことを特徴とする請求項１乃至４のいずれかに記載のネットワーク式電気量情報処理システム。
【発明の詳細な説明】
【技術分野】
【０００１】
本発明は、ネットワーク式電気量情報処理システムであって、例えば、保護継電装置に関するものである。
【背景技術】
【０００２】
一般的に、変電所や配電所（以後、これらを総じて電気所と称する）における保護継電システムでは、電圧量または電流量に関する情報（以後、電気量情報と称する）を取得するため、それらの所内の機能装置（例えば、保護継電装置，オシロ記録装置，遠隔監視装置など）に対する配線を必要とする。
【０００３】
一般的な保護継電システムの構成を図９に基づいて以下に説明する。
【０００４】
図９の保護継電システムの構成では、主変成器１から延びたケーブル配線１００によって、保護継電装置２，オシロ記録装置３，遠隔監視装置４に、それぞれ配線される。
【０００５】
前記の保護継電装置２は、補助変成器２ａ，該補助変成器２ａから発信される電気量に係るアナログ信号をディジタル信号に変換するアナログディジタル変換回路（以後、Ａ／Ｄ（Ａｎａｌｏｇ  ｔｏ  Ｄｉｇｉｔａｌ）変換回路と記す）２ｂ，該ディジタル信号を処理するＣＰＵ（Ｃｅｎｔｒａｌ  Ｐｒｏｃｅｓｓｉｎｇ  Ｕｎｉｔ）部２ｃを備えている。
【０００６】
同様に、オシロ記録装置３は、補助変成器３ａ，Ａ／Ｄ変換回路３ｂ，ＣＰＵ部３ｃを備えている。遠隔監視装置４も、補助変成器４ａ，Ａ／Ｄ変換回路４ｂ，ＣＰＵ部４ｃを備えている。
【０００７】
前記の補助変成器２ａ，補助変成器３ａ，補助変成器４ａは、主変成器１に、ケーブル１００を介して、それぞれ接続されるため、その補助変成器２ａ，補助変成器３ａ，補助変成器４ａは、主変成器１からの制御を受けることになる。
【０００８】
なお、図９中の保護継電装置２には、一般的なアナログ部の監視方式（例えば、特許文献１参照）を有するものも知られている。
【０００９】
また、ネットワークに接続された複数の機能装置間において、電気量を計測する際のサンプリング同期方式，ＧＰＳ（Ｇｌｏｂａｌ  Ｐｏｓｉｔｉｏｎｉｎｇ  Ｓｙｓｔｅｍ）を用いた時間管理方式も、広く知られている（例えば、特許文献２，３参照，）。
【特許文献１】特許第３６７４１５６号（段落［００１８］〜［００２１］等）。
【特許文献２】特開２００５−２６８７５９（段落［００３４］〜［００４７］等）。
【特許文献３】特許第３３５２４１１号（段落［００９２］〜［０１０２］等）。
【発明の開示】
【発明が解決しようとする課題】
【００１０】
前述のような保護継電システムの構成では、各機能装置に対する配線を必要とし、例えば、その機能装置の更新または移設に伴う配線工事には、大きな費用を必要とした。
【００１１】
また、電気所内で取り扱う電気量情報は、共有化，ソフトロジック化を行うことが困難である。そのため、前述のように、機能毎にハードウェアを用意して、共有化，ソフトロジック化に対応されてきた。
【００１２】
例えば、機能装置毎に分散して電気量情報を処理していれば、その機能装置毎の故障に対する全体の影響は小さい。しかし、電気所全体の情報共有化及び情報管理を考慮すると、前記の電気量情報処理の分散は、機能装置間のインタフェース装置を増大させ、さらに、設備投資の増大も招くことになる。
【００１３】
本発明は、前記課題に基づいてなされたものであり、電気量情報を一括処理し、入力変換（例えば、Ａ／Ｄ変換）機能を省略した機能装置を有するネットワーク式電気量情報処理システムを提供することにある。
【課題を解決するための手段】
【００１４】
本発明は、前記課題の解決を図るために、請求項１記載の発明は、絶対時間取得手段を備え、かつ、電気量を一括にＡ／Ｄ変換処理する入力変換装置が、機能ユニットとネットワークを介して接続されたネットワーク式電気量情報処理システムであって、前記入力変換装置が受信した電気量に係るアナログ信号を、前記の絶対時間取得手段によって取得した絶対時間に基づいたサンプリングタイミングで、Ａ／Ｄ変換処理を行ってディジタル信号に変換し、前記の変換されたディジタル信号を符号化して電気量データを取得し、該電気量データを前記ネットワーク上の前記機能ユニットに配信する、ことを特徴とする。
【００１５】
請求項２記載の発明は、請求項１記載の発明において、前記の入力変換装置が、前記の絶対時間取得手段によって取得した絶対時間に基づくサンプリング同期タイミングを該入力変換装置に備えられたＧＰＳ同期回路で生成し、該サンプリング同期タイミングに基づいてＡ／Ｄ変換回路によって、電流量を電流量データに変換し、該サンプリング同期タイミングに基づいてＡ／Ｄ変換回路によって、電圧量を電圧量データに変換し、ネットワーク全体の同期状態に応じて、サンプリングタイミング毎に、絶対時間情報と該絶対時間情報に関連付けられた該電流量データ及び電圧量データを前記ネットワークに配信する、ことを特徴とする。
【００１６】
請求項３記載の発明は、請求項１または２に記載の発明において、前記の入力変換装置及び機能ユニットが、同一のメモリ構造を備える共有メモリ領域を有し、該入力変換装置が、前記の絶対時間情報と該絶対時間に係る電気量データを該共有メモリ領域に格納し、その絶対時間情報と該絶対時間に係る電気量データをパケットに含ませて、機能ユニットに所定の処理タイミングで配信し、該機能ユニットが、受信したパケットを前記の絶対時間情報と該絶対時間に係る電気量データを該共有メモリ領域に格納する、ことを特徴とする。
【００１７】
請求項４記載の発明は、請求項１または２に記載の発明において、前記の入力変換装置及び機能ユニットが、同一のメモリ構造を備える共有メモリ領域を有し、該機能ユニットが、前記の絶対時間情報と該絶対時間に係る電気量データを該入力変換装置に対して要求し、受信したパケットを前記の絶対時間情報と該絶対時間に係る電気量データを該共有メモリ領域に格納し、該入力変換装置が、その絶対時間情報と該絶対時間に係る電気量データを該共有メモリ領域に格納し、該機能ユニットからの要求に応じて、絶対時間情報と該絶対時間に係る電気量データをパケットに含ませて、所定の処理タイミングで機能ユニットに対し配信する、ことを特徴とする。
【００１８】
請求項５記載の発明は、請求項１乃至４のいずれかに記載の発明において、前記の入力変換装置は、電源立ち上げ時に、電気量に関する情報を公開するコンフィグレーション情報を前記機能ユニットに対し配信し、該機能ユニットは、該コンフィグレーション情報を受信する、ことを特徴とする。
【００１９】
前記の請求項１の発明によれば、入力変換装置が、絶対時間に基づいて同期しつつ、電気量を一括して電気量データに変換し、機能ユニットに配信できる。
【００２０】
前記の請求項２の発明によれば、入力変換装置が、サンプリング同期タイミングに基づいてＡ／Ｄ変換を行って、電流量及び電圧量データ取得し、絶対時間情報と該絶対時間情報に関連付けられた該電流量データ及び電圧量データをネットワークにサンプリングタイミング毎に配信できる。
【００２１】
前記の請求項３の発明によれば、機能ユニットは、入力変換装置が取り扱う絶対時間情報と該絶対時間に係る電気量データを受信できる。
【００２２】
前記の請求項４の発明によれば、機能ユニットは、要求に応じた絶対時間情報と該絶対時間に係る電気量データを入力変換装置から取得できる。
【００２３】
前記の請求項５の発明によれば、機能ユニットは、配信されたコンフィグレーション情報から必要な情報を取り出すことができる。
【発明の効果】
【００２４】
以上示したように請求項１の発明によれば、入力変換装置が電気量を処理して電気量データを配信するため、機能装置の入力変換機能を省略でき、機能ユニットと成すことができる。
【００２５】
請求項２の発明によれば、機能ユニットは、絶対時間情報に関連付けられた該電流量データ及び電圧量データをサンプリングタイミング毎に取得できる。
【００２６】
請求項３の発明によれば、機能ユニットは、入力変換装置が絶対時間情報と該絶対時間に係る電気量データを共有できる。
【００２７】
請求項４の発明によれば、機能ユニットは、入力変換装置が絶対時間情報と該絶対時間に係る電気量データを共有できる。また、機能ユニットにおいて、絶対時間情報と該絶対時間に係る電気量データを要求に応じて取得するため、絶対時間情報と該絶対時間に係る電気量データ取得処理に係るパフォーマンスを向上できる。
【００２８】
請求項５の発明によれば、機能ユニットは、配信されたコンフィグレーション情報によって、ハードウェア情報をソフトウェアで管理できる。
【００２９】
これらを以って電気制御システムの分野に貢献できる。
【発明を実施するための最良の形態】
【００３０】
以下、本発明の実施の第１乃至第４形態におけるネットワーク式電気量情報処理システムを図面等に基づいて詳細に説明する。
【００３１】
本発明の実施の第１乃至第４形態は、電気量を一括してＡ／Ｄ変換処理する入力変換装置が、受信した電気量に係るアナログ信号を、絶対時間取得手段（例えば、ＧＰＳ受信機）によって取得した絶対時間に基づいたサンプリングタイミングで、Ａ／Ｄ変換処理を行い、ディジタル信号に変換し、前記の変換されたディジタル信号を符号化して電気量データを取得し、該電気量データをネットワーク上の機能ユニットに配信するネットワーク式電気量情報処理システムである。
【００３２】
なお、前記機能ユニットは、入力変換（即ち、Ａ／Ｄ変換）に係る機能を備えない機能装置である。
【００３３】
［本実施の第１形態］
本実施の第１形態におけるシステム構成を図１に基づいて以下に説明する。なお、図１中で図９と同じ符号のものの説明は省略する。また、図１は、本実施の第１形態におけるシステム構成の概略図である。
【００３４】
図１中の保護継電システムは、電気所内の電気量を一括にＡ／Ｄ変換処理する装置（以後、入力変換装置と称する）５，保護継電ユニット２１，オシロ記録ユニット３１，遠隔監視ユニット４１が、ネットワーク１０１によって相互接続されている。なお、前記の保護継電ユニット２１，オシロ記録ユニット３１，遠隔監視ユニット４１は、機能ユニットである。
【００３５】
前記の入力変換装置５は、電気所内の電気量を一括処理し、ネットワーク１０１を介して、保護継電ユニット２１，オシロ記録ユニット３１，遠隔監視ユニット４１に配信する。
【００３６】
なお、前記の一括処理では、例えば、絶対時間取得手段（例えば、ＧＰＳ受信機５ｄ）から取得した時間に同期して、電気量に係る情報処理を行う。
【００３７】
図１に基づいて電気量に係る処理を以下に説明する。
【００３８】
前記の入力変換装置５に備えられた補助変成器５ａから送信されたアナログ信号は、所定のサンプリングタイミングで、Ａ／Ｄ変換回路５ｂを動作させて、ディジタル信号に変換される。
【００３９】
なお、前記のサンプリングタイミングは、ＧＰＳ受信機５ｄが受信する絶対時間に基づくものである。
【００４０】
次に、変換されたディジタル信号は、ＣＰＵ部５ｃにおける特定処理によって、符号化された電気量となる。前記の符号化された電気量は、ネットワークインタフェース装置５ｅによって、ネットワーク１０１上に送信される。
【００４１】
次に、前記の符号化された電気量（即ち、電気量データ）は、保護継電ユニット２１のインタフェース装置２１ｅ，オシロ記録ユニット３１のインタフェース装置３１ｅ，遠隔監視ユニット４１のインタフェース装置４１ｅで受信される。
【００４２】
そして、保護継電ユニット２１のＣＰＵ部２１ｃ，オシロ記録ユニット３１のＣＰＵ部３１ｃ，遠隔監視ユニット４１のＣＰＵ部４１ｃは、前記の電気量データに応じた処理を行う。
【００４３】
以上のような本実施の第１形態よれば、電気所内の電気量を一括処理でき、さらに、データの共通化，設備管理の共通化を図ることができる。
【００４４】
また、入力変換装置を二重化すれば、高信頼性を有する入力変換を行うことができる。
【００４５】
そして、機能単位の増設が、装置の増設ではなく、入力変換機能を有さないユニットの増設で構成できる。
【００４６】
［本実施の第２形態］
本実施の第２形態における入力変換装置を図２に基づいて以下に説明する。なお、図２中で図１及び図９中の符号と同じものの説明は省略する。また、図２は、本実施の第２形態における入力変換装置の概略図である。
【００４７】
図２中の入力変換装置５は、まず、主変成器１の主変流器１ａから補助変成器（即ち、補助ＣＴ（Ｃｕｒｒｅｎｔ  Ｔｒａｎｓｆｏｒｍｅｒ））５ａ１で電流量を受けて処理し、主変成器１の主変流器１ｂから補助変成器（即ち、補助ＰＴ（Ｐｏｔｅｎｔｉａｌ  Ｔｒａｎｓｆｏｒｍｅｒ））５ａ２で電圧量を受けて処理する。
【００４８】
次に、前記の電流量はアナログフィルタ５ｆ１によって、また、前記の電圧量はアナログフィルタ５ｆ２によって、サンプリングの折り返し誤差となる成分を除去する。
【００４９】
次に、絶対的な時間管理を行う絶対時間取得手段（例えば、ＧＰＳ受信機５ｄ）に基づくタイミング信号（例えば、１ｐｐｓ（Ｐｕｌｓｅ  Ｐｅｒ  Ｓｅｃｏｎｄ））を逓倍したサンプリング同期タイミングをＧＰＳ同期回路５ｄ１で生成する。
【００５０】
次に、前記の電流量は、前記のサンプリング同期タイミングに基づいてＡ／Ｄ変換回路５ｂ１及び５ｂ２によってディジタルデータに変換される。同様に、前記の電圧量も、前記のサンプリング同期タイミングに基づいてＡ／Ｄ変換回路５ｂ３によってディジタルデータに変換される。
【００５１】
なお、ディジタルデータに変換された電流量を電流量データと称する。同様に、ディジタルデータに変換された電圧量を電圧量データと称する。そして、電流量データまたは電圧量データを電気量データと称することとする。
【００５２】
次に、前記の電流量データはＣＰＵ部５ｃ１でバッファリングされる。前記の電圧量データもＣＰＵ部５ｃ２でバッファリングされる。
【００５３】
次に、前記ＣＰＵ部５ｃ１は、ネットワーク全体の同期状態に応じて、サンプリングタイミング毎に、絶対時間情報と電流量データの関連付けを監理し、前記のバッファリングされた絶対時間情報と電流量データを、ネットワークインタフェース装置５ｅ１によって、ネットワーク１０１に定周期で配信し続ける。例えば、絶対時間情報と電流量データを結合して配信する。同様に、前記ＣＰＵ部５ｃ２も、前記のバッファリングされた絶対時間情報と電圧量データを、ネットワークインタフェース装置５ｅ２によって、ネットワーク１０１に定周期で配信し続ける。例えば、絶対時間情報と電圧量データを結合して配信する。
【００５４】
なお、前記ネットワーク１０１は、所定のサンプリング周期で、入力変換装置５から発信される前記の電流量データ及び電圧量データを、各機能ユニット（例えば、保護継電ユニット２１，オシロ記録ユニット３１，遠隔監視ユニット４１）に所定時間内で受信させるパフォーマンスを有することが必須である。
【００５５】
以上のような本実施の第２形態よれば、入力変換装置に入力される電気量に応じて、機能ユニットを増設できる。
【００５６】
［本実施の第３形態］
本実施の第３形態におけるデータ共有方式を図３乃至図５に基づいて以下に説明する。なお、図３乃至図５で図１，図２，図９の符号と同じものの説明は省略する。また、図３は本実施の第３形態におけるメモリ構造の概略図である。図４は、本実施の第３形態における伝送コマンドパケットの概略図である。図５は、本実施の第３形態における配信プロトコルの概略図である。
【００５７】
図１及び図２中の入力変換装置では、ネットワークを介してデータを共有するためにネットワーク部を備える。なお、前記のネットワーク部は、図１及び図２中では図示省略されている。
【００５８】
前記のネットワーク部は、各機能ユニットがネットワーク１０１を介して電気量データを共有化する機構を有する。例えば、ネットワーク１０１にイーサネット（登録商標）が採用された場合、１０ＭＨｚ（メガヘルツ），１００ＭＨｚ，そして、将来的には、１０００ＭＨｚのクロック周波数に対応したネットワークになりうる。そのため、そのネットワークに対応した電気量データ伝達手段は、情報共有に関して有効である。
【００５９】
その情報共有のために、前記ネットワーク部と各機能ユニットは、同一のメモリ構造を有する特定のメモリ領域（以下、共有メモリ領域）を有する。
【００６０】
また、前記の情報共有に係る動作概要は次の通りである。
【００６１】
前記のネットワーク部は、自らの共有メモリ領域内のデータ（以下、共有データと称する）を各機能ユニットに配信する。
【００６２】
その各機能ユニットは受信した共有データを、共有メモリ領域のメモリ構造に応じて該共有メモリ領域に書き込む動作を行う。なお、前記のメモリ構造は、特定の絶対時間に係る情報の後ろに、該絶対時間に係るｎ個のサンプリングデータ（即ち、電気量データ）が結合されたデータを、その絶対時間に係る共有データと見做す。また、複数の絶対時間に係る共有データを扱うため、共有データ（即ち、共有データのデータ構造）を繰り返して結合したデータであっても良い。
【００６３】
例えば、入力変換装置５，保護継電ユニット２１，オシロ記録ユニット３１，遠隔監視ユニット４１は、図３Ａ中の番地Ａには絶対時間に係る情報ＳＴ１，番地Ａから連続した番地Ａ１からＡｎ（ｎは、自然数）には、それぞれサンプリングデータＳＰ１１乃至ＳＰ１ｎ（ｎは、自然数）が配置されたメモリ構造を各々のメモリ空間に有する。番地Ｂ，Ｂ１からＢｎ（ｎは、自然数）も、同様のメモリ構造も有する。
【００６４】
そして、Ａ／Ｄ変換された電気量データ（即ち、前記共有データ）が図４中の伝送コマンドパケットＰＡに成形され、該伝送コマンドパケットＰＡが各機能ユニットに絶対時間情報単位で配信される。即ち、伝送コマンドパケットＰＡのデータＰ５には、絶対時間情報と、その絶対時間情報に係るサンプリングデータが含まれる。例えば、伝送コマンドパケットＰＡのデータＰ５には、図３中の絶対時間に係る情報ＳＴ１とサンプリングデータＳＰ１１乃至ＳＰ１ｎが含まれる。
【００６５】
なお、前記の伝送コマンドパケットＰＡは、ＵＤＰ（Ｕｓｅｒ  Ｄａｔａｇｒａｍ  Ｐｒｏｔｏｃｏｌ），ブロードキャスト命令処理に関するものである。また、前記の伝送コマンドパケットＰＡは、例えば、入力装置を識別する識別子（以下、入力装置ＩＤ（Ｉｄｅｎｔｉｆｉｅｒ）と称する）Ｐ１，共有メモリ領域の先頭アドレス（以下、参照共有アドレスと称する）Ｐ２，共有メモリ領域のサイズ（以下、参照ワード数と称する）Ｐ３，コマンドＰ４，データＰ５を含むものである。
【００６６】
前記の入力変換装置５は、電源立ち上げ時に、参照できる電気量データに関する情報を公開するための情報（以後、コンフィグレーション情報または構成情報と称する）Ｃｇを配信する。一方、各機能ユニットは、電源立ち上げ時に、前記の入力変換装置５に対して、コンフィグレーション情報Ｃｇを要求し、該コンフィグレーション情報Ｃｇを取得する。
【００６７】
なお、前記のコンフィグレーション情報Ｃｇは、例えば、入力変換装置ＩＤ  Ｃｇ１，メモリ番地Ｃｇ２，ワード単位Ｃｇ３，データ数Ｃｇ４，補助ＣＴ比Ｃｇ５，Ａ／Ｄ精度Ｃｇ６，分解能Ｃｇ７，ｓｔｏｐｐｅｒ  Ｃｇ８を含む。
【００６８】
前記の入力変換装置５は、定常時、ＧＰＳ受信機５ｄ及びＧＰＳ同期回路５ｄ１によって同期された図５中のサンプリング周波数ｆ１でサンプリングしてＡ／Ｄ変換を行い、電気量データを一時的にバッファリングする。
【００６９】
次に、前記の入力変換装置５のネットワーク部は、そのバッファリングされた電気量データ（例えば、図５中では、１〜８データ分をバッファリングされた電気量データ）を、処理タイミングｆ２の周期中に、予め登録された各機能ユニットに配信する。なお、前記の配信には、例えば、相手先を指定しないで、全てのノードで受信できる通信方式（例えば、ブロードキャスト通信方式）を採用する。
【００７０】
また、前記の配信中のデータが喪失（例えば、外的ノイズによって喪失）した場合、前記の入力変換装置５のネットワーク部はデータを欠落したものと見做し、再送処理を行なわず、前記のネットワーク部以外に前記入力変換装置５に備えられている部（例えば、アプリケーション部）によって処理されるものとする。
【００７１】
例えば、図５中のサンプリング周波数ｆ１が、系統周波数の９６倍に設定されていたとする。即ち、系統周波数が５０Ｈｚ（ヘルツ）であれば、サンプリング周波数ｆ１は４．８ＫＨｚ（キロヘルツ）である。
【００７２】
前記のＧＰＳ同期回路５ｄ１に同期したタイミングで、電気量（例えば、複数チャンネルに係る電気量）をＡ／Ｄ変換し、バッファリングする。
【００７３】
前記の処理タイミングｆ２は、サンプリング周波数ｆ１の１２倍とする。即ち、サンプリング周波数ｆ１が５０Ｈｚ（ヘルツ）であれば、処理タイミングｆ２は６００Ｈｚ（ヘルツ）である。
【００７４】
そして、前記の入力変換装置５は、バッファリングされたデータ（例えば、１〜８データ分）を各機能ユニットに転送する。
【００７５】
なお、前記の処理タイミングｆ２は、ネットワークに係る伝送速度と機能ユニット間の関係に基づいてサンプリングタイミング毎であっても良い。
【００７６】
以上のような本実施の第３形態よれば、前記のような保護継電システムを二重化し、常用と予備を用いて切替方式で運転した場合、高信頼性を有する保護継電システムを構成できる。
【００７７】
［本実施の第４形態］
本実施の第４形態におけるデータ共有方式を図６乃至図８に基づいて以下に説明する。なお、図６乃至図８で図１乃至図５，図９の符号と同じものの説明は省略する。また、図６は、本実施の第４形態におけるメモリ構造の概略図である。図７は、本実施の第４形態における伝送コマンドパケットの概略図である。図８は、本実施の第４形態におけるプロトコルの概略図である。
【００７８】
図１及び図２中の入力変換装置では、ネットワークを介してデータを共有するためにネットワーク部を備える。なお、前記のネットワーク部は、図１及び図２中では図示省略されている。
【００７９】
そのデータを共有のために、前記ネットワーク部と各機能ユニットは、同一のメモリ構造を有する特定のメモリ領域（以下、共有メモリ領域）を有する。
【００８０】
なお、前記のメモリ構造は、特定の絶対時間に係る情報の後ろに、該絶対時間に係るｎ個のサンプリングデータが結合されて、その絶対時間に係る共有データを成す。また、複数の絶対時間に係る共有データを扱うため、共有データ（即ち、共有データのデータ構造）を繰り返して結合したデータであっても良い。
【００８１】
例えば、入力変換装置５，保護継電ユニット２１，オシロ記録ユニット３１，遠隔監視ユニット４１は、図６中の番地Ａには絶対時間に係る情報ＳＴ１，番地Ａから連続した番地Ａ１からＡｎ（ｎは、自然数）には、それぞれサンプリングデータＳＰ１１乃至ＳＰ１ｎ（ｎは、自然数）が配置されたメモリ構造を各々のメモリ空間に有する。番地Ｂ，Ｂ１からＢｎ（ｎは、自然数）も、同様のメモリ構造を有する。
【００８２】
前記の入力変換装置５は、電源立ち上げ時に、コンフィグレーション情報（例えば、図３Ｂ中のコンフィグレーション情報Ｃｇ）を配信する。一方、各機能ユニットは、電源立ち上げ時に、前記の入力変換装置５に対して、コンフィグレーション情報を要求し、該コンフィグレーション情報を取得する。
【００８３】
定常時において、各機能ユニットは、入力変換装置５に対して、所定の時間分割タイミング中で、図７中の伝送コマンドパケットＰＲ（即ち、要求パケット）を入力変換装置５に送信することによって、電気量データの取得を要求する。
【００８４】
なお、前記の伝送コマンドパケットＰＲは、例えば、要求元機能ユニットを識別する識別子（以後、要求元機能ユニットＩＤと称する）Ｐ６，要求先機能ユニットを識別する識別子（以後、要求先機能ユニットＩＤと称する）Ｐ７，参照共有アドレスＰ８，参照共有ワード数Ｐ９，コマンドＰ１０を含むものである。
【００８５】
一方、前記の入力変換装置５は、図７中の伝送コマンドパケットＰＡ（即ち、応答パケット）を送信することによって、各機能ユニットから送信される要求に応じた電気量データを配信する。なお、前記の伝送コマンドパケットＰＡは、例えば、入力装置ＩＤ（Ｉｄｅｎｔｉｆｉｅｒ）Ｐ１，参照共有アドレスＰ２，参照ワード数Ｐ３，コマンドＰ４，データＰ５を含むものである。
【００８６】
なお、前記の電気量データは、入力変換装置５のＧＰＳ受信機５ｄ及びＧＰＳ同期回路５ｄ１によって同期された図５中のサンプリング周波数ｆ１でサンプリングされ、Ａ／Ｄ変換を行われ、一時的にバッファリングされた電気量データである。
【００８７】
また、前記の所定の時間分割タイミングとは、各機能ユニットに一義に割り当てられたノード番号（例えば、ネットワークにおけるノード番号）と絶対時間によって順序立てられたタイミングである。
【００８８】
即ち、図８中の処理タイミングｆ２に基づいて、各機能ユニットが、ネットワーク上で時分割に通信を行い、各機能ユニットの送受信順序に応じて、前記の入力変換装置５から配信される電気量データを収集するものである。
【００８９】
また、前記の配信には、ＵＤＰ通信方式を採用し、データが喪失（例えば、外的ノイズによって喪失）した場合、前記の入力変換装置５のネットワーク部はデータを欠落したものと見做し、再送処理を行なわず、前記のネットワーク部以外に前記入力変換装置５に備えられている部（例えば、アプリケーション部）によって処理されるものとする。
【００９０】
例えば、図８中の系統周波数の９６倍に設定されていたとする。即ち、系統周波数が５０Ｈｚ（ヘルツ）であれば、サンプリング周波数ｆ１は４．８ＫＨｚ（キロヘルツ）である。
【００９１】
前記の処理タイミングｆ２は、サンプリング周波数ｆ１の１２倍とする。即ち、サンプリング周波数ｆ１が５０Ｈｚ（ヘルツ）であれば、処理タイミングｆ２は６００Ｈｚ（ヘルツ）である。
【００９２】
前記のＧＰＳ同期回路５ｄ１に同期したタイミングで、電気量をＡ／Ｄ変換し電気量データを取得し、該電気量データをバッファリングする。
【００９３】
そして、前記の入力変換装置５は、バッファリングされたデータ（例えば、１〜８データ分）を各機能ユニットに転送する。
【００９４】
以上のような本実施の第４形態よれば、保護継電システムを二重化し、常用と予備で切替方式に運転した場合、高信頼性を有する保護継電システムを構成できる。
【００９５】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００９６】
本実施の第１乃至第４形態の変形として、ＧＰＳを用いる代わりに、高精度な標準時間を受信する電波時計を用いた時刻補正を行って、その補正された時刻に基づいて、電気量に係る情報処理を行うネットワーク式電気量情報処理システムを構成しても良い。
【図面の簡単な説明】
【００９７】
【図１】本実施の第１形態におけるネットワーク式電気量情報処理システムの構成図。
【図２】本実施の第２形態における入力変換装置の構成図。
【図３】本実施の第３形態におけるメモリ構造の概略図。
【図４】本実施の第３形態における伝送コマンドパケットの概略図。
【図５】本実施の第３形態における配信プロトコルの概略図。
【図６】本実施の第４形態におけるメモリ構造の概略図。
【図７】本実施の第４形態における伝送コマンドパケットの概略図。
【図８】本実施の第４形態におけるプロトコルの概略図。
【図９】一般的な保護継電システム。
【符号の説明】
【００９８】
１…主変成器
１ａ…主変流器
１ｂ…主変圧器
２…保護継電装置
２ａ，３ａ，４ａ，５ａ，５ａ１，５ａ２…補助変成器
２ｂ，３ｂ，４ｂ，５ｂ，５ｂ１，５ｂ２，５ｂ３…Ａ／Ｄ変換器
２ｃ，３ｃ，４ｃ，５ｃ，２１ｃ，３１ｃ，４１ｃ，５ｃ１，５ｃ２…ＣＰＵ部
３…オシロ記録装置
４…遠隔監視装置
５…入力変換装置
５ｄ…ＧＰＳ受信機
５ｄ１…ＧＰＳ同期回路
５ｅ，２１ｅ，３１ｅ，４１ｅ，５ｅ１，５ｅ２…ネットワークインタフェース装置
５ｆ１，５ｆ２…アナログフィルタ
２１…保護継電ユニット
３１…オシロ記録ユニット
４１…遠隔監視ユニット
１００…ケーブル配線
１０１…ネットワーク
Ａ，Ａ１，Ａ２，Ａ３，Ａｎ，Ｂ，Ｂ１，Ｂ２，Ｂ３，Ｂｎ…メモリ番地
ＳＰ１１，ＳＰ１２，ＳＰ１３，ＳＰ１ｎ，ＳＰ２１，ＳＰ２２，ＳＰ２３，ＳＰ２ｎ…サンプリングデータ
Ｃｇ…コンフィグレーション情報
Ｃｇ１…入力変換装置ＩＤ
Ｃｇ２…メモリ番地
Ｃｇ３…ワード単位
Ｃｇ４…データ数
Ｃｇ５…補助ＣＴ比
Ｃｇ６…Ａ／Ｄ精度
Ｃｇ７…分解能
Ｃｇ８…ｓｔｏｐｐｅｒ
ＰＡ，ＰＲ…伝送コマンドパケット
Ｐ１…入力装置ＩＤ
Ｐ２，Ｐ８…参照共有アドレス
Ｐ３，Ｐ９…参照ワード数
Ｐ４，Ｐ１０…コマンド
Ｐ５…データ
Ｐ６…要求元機能ユニットＩＤ
Ｐ７…要求先機能ユニットＩＤ
ＳＴ１，ＳＴ２…絶対時間情報
ｆ１，ｆ２…処理タイミング
【図１】
2007325323.tif 000003
【図２】
2007325323.tif 000004
【図３】
2007325323.tif 000005
【図４】
2007325323.tif 000006
【図５】
2007325323.tif 000007
【図６】
2007325323.tif 000008
【図７】
2007325323.tif 000009
【図８】
2007325323.tif 000010
【図９】
2007325323.tif 000011